(57)【要約】      （修正有）【課題】商品陳列棚に置いて使用する商品陳列用具で、陳列棚の先端（前方部分）に商品が落下しないように商品落下防止用の板あるいは商品落下防止用の網が設けられていても使用可能にする。【解決手段】底板１と、この底板に対し垂直に伸びる側板２と、この側面板の上端より斜め下方に伸びる前面板３とよりなり、前面板より側面板側に伸びる保持用突出部４を設けることにより、側面板と保持用突出部の間に陳列棚の落下防止用の板あるいは商品落下防止用の網が位置しこれを挟むように商品陳列用具を設置するようにする。これにより商品陳列棚上に所望の位置に商品陳列用具の設置が可能になり又それが移動しないように設置することができる。【選択図】図１
0003117531.tif 000002
【実用新案登録請求の範囲】
【請求項１】
商品陳列棚の先端部分に設置して用いる商品陳列用具で、陳列棚の先端に沿った方向に伸びる長方形状の底板と、前記底板より垂直に伸びる側板と、前記側板の上側端部より斜め前方および下方に伸びる前面板とよりなり、前記前面板と側板との間に前記陳列棚の先端に設けられた商品落下防止用の板又は商品落下防止用の網を挟むように構成した保持用突出部を備えたことを特徴とする商品陳列用具。
【請求項２】
前記保持用突出部が、前記前面板より側板側へ伸びた形状で、この保持用突出部と側板との間に前記陳列棚の商品落下防止用の板又は商品落下防止用の網を挟むように構成したことを特徴とする請求項１の商品陳列用具。
【請求項３】
前記側板の外側の面に嵌合突起を設け、前記嵌合突起に嵌合する嵌合溝を有する仕切板を嵌合突起に嵌合溝を嵌合させて前記仕切板を前記側板に直角方向に伸びるように配置した請求項１又は２の商品陳列用具。
【請求項４】
前記底板に嵌合バネを設け、前記嵌合バネに嵌合する嵌合溝を有する仕切板を前記嵌合溝を嵌合バネに嵌合させて前記仕切板を前記側板に対し直角方向に伸びるよう配置した請求項１又は２の商品陳列用具。
【考案の詳細な説明】
【技術分野】
【０００１】
本考案は、商品販売時に商品陳列棚上に商品を陳列するに際して使用される商品陳列用具に関するものである。
【背景技術】
【０００２】
従来の商品陳列用具例えば陳列用トレイは、プラスチック、厚紙、金属等にて形成された底の浅い容器状のもので、その中に販売すべき商品が外から明瞭に見得るように又簡単に取り出し得るように置かれており、更にその前面には差し込みその他の手段にて容易に商品に関する表示を行なったラベル等を取り付け得るような構成のものが一般的である。
【０００３】
又、トレイの大きさは、商品を置いた状態にて持ち歩きや陳列棚への設置が容易であるように、比較的小型であって商品を置いた状態でも軽量であるように構成されている。
【０００４】
このように小型軽量であるため、陳列棚へ設置した後にトレイ上の個々の商品の取り出しの際に商品と共にトレイが移動するおそれがあった。特にトレイ上の商品の数が少なくなり、一層軽量になるとトレイの移動が一層おこりやすく、所定位置からのずれや所定の向きからのずれを生じ商品陳列上好ましくない。
【０００５】
又、薄型のパッケージ入りの商品をトレイに入れて展示する場合、商品が見やすいように、又商品をトレイから取り出し易いように立てて（上下方向に長くなるように）配置することがある。
【０００６】
このようにトレイに商品を立てておいた場合、商品が倒れ易く、特に商品の数が少なくなった場合には、倒れ易く又斜めにずれるおそれがある。
【０００７】
又、商品の販売時の広告、商品の特徴等をアピールするために、広告用情報表示（ＰＯＰ）を行なうことがあるが、従来の陳列用トレイ等の陳列用具は商品表示等を行なう場所が限られるため広告のための効果が十分得られない。
【０００８】
又、前面板等の商品の表示、広告用情報表示等を含めて商品陳列のための機能を多く備えていて、これらの機能が最も効果的になし得るようにそれらを容易に変形可能な構造にした商品陳列用具は、殆ど知られていない。
【０００９】
この課題を解決した商品陳列用具として本考案の考案者は、次のような陳列用具を開発して下記文献に記載された内容の実用新案登録を行なった。
【特許文献１】実用新案登録第３０４８６５８号    それは、簡単な構造のトレイ状の商品陳列用具で、複数のトレイを夫々連結可能にした商品陳列用具である。
【００１０】
また、陳列後に商品が倒れたりずれたりすることがない商品の安定した陳列、展示が可能であるトレイである。
【００１１】
また、商品の表示や広告の表示が容易であって又その配置位置を変えることが容易である商品陳列用具である。
【００１２】
更にこの商品陳列用具は、商品陳列棚に商品を直接載せる方式の商品陳列用具で、商品間を仕切る仕切板の配置並びに配置位置の変更が容易であり、又商品の情報や商品の広告のための情報伝達用の表示板の設置並びに設置位置の変更が容易である商品陳列用具である。
【００１３】
上記の商品陳列用具は、長方形状の底板と、底板の一側辺に形成された側板と、この側板と相対する側に形成された突部とより形成されていて、側板の下端に突部に嵌合する凹部を有するもので、一つの陳列用具の突部に他の陳列用具の凹部を嵌合させることにより両陳列用具を互いに連結させ得るようにしたことを特徴とする。
【００１４】
又、上記の商品陳列用具は、陳列用のトレイの側板内面に弾力性を有するテープ状の倒れ防止片を接着等の手段にて設けたもので、比較的縦長のパッケージを立てて配置する場合、倒れ防止片の弾力性を利用してパッケージが倒れることのないように保持するようにしたものである。
【００１５】
又、前記の商品陳列用具において、弾力性を有するテープ状物の表面を平滑な面にして倒れ防止片を構成し、この倒れ防止片の押圧力により保持したパッケージを滑らせて移動し得るようにしたことを特徴としている。
【００１６】
更に商品陳列用具は、ハンガーを備えたもので、このハンガーを利用して商品を陳列するようにしたことを特徴としている。
【００１７】
このような商品陳列用具の具体的構成は、商品陳列台の棚板上に固定して使用する陳列部材を有するもので、この陳列部材が棚板の横幅方向に伸びる前面板を有しこの陳列部材の前面板の表面以外の部分に前面板の長さ方向に伸びる嵌合溝を有し、この嵌合溝を利用して又はこの嵌合溝に支持片を挿入し支持片に仕切板を前面板に直角な方向である縦方向に配置することにより、棚板上を縦方向に仕切り、仕切板間に商品を陳列するようにしたものである。
【００１８】
この商品陳列用具は、陳列用部材と仕切板を用いることにより、陳列台の棚板上に直接商品を安定した状態にて載せることが可能であり、又仕切板の置く位置を変更することにより陳列する商品の形状、大きさに関係なく安定した商品の陳列が可能である。更に、陳列部材に商品表示板設置用の溝を形成することにより商品表示位置を最も望ましい位置に設定することが可能であり、効果的な商品表示や商品内容の説明や広告のための表示が可能である。
【００１９】
上記文献に記載されている商品陳列用具の一つの実施例として、図７、図８に示す構成のものがある。
【００２０】
この図７、図８に示す商品陳列用具は、仕切板４６を取り付けるための支持片４５を嵌合させる嵌合溝４４が前面板４３側に突出した構成である。
【００２１】
商品を陳列するための陳列棚には、商品が前方より落下するのを防止するための商品落下防止用の板あるいは網が設けられたものがある。それは、商品陳列棚の先端にそれより上方に垂直に伸びる方向に商品落下防止用の板あるいは商品落下防止用の網が設けられた構成である。
【００２２】
このような商品落下防止用の板、あるいは商品落下防止用の網が設けられた商品陳列用の棚に図７、図８に示す構成の商品陳列用具を取り付け使用する場合、前記の嵌合溝４４が邪魔になることがあり好ましくない。
【考案の開示】
【考案が解決しようとする課題】
【００２３】
本考案は、前述のような先端に商品落下防止用の板や商品落下防止用の網の設けられた商品陳列棚においても使用可能な商品陳列用具であり、しかもこの商品落下防止用の板あるいは商品落下防止用の網を利用して、商品陳列用具が商品陳列棚に確実に設置し得るような構成にすることを目的とする。
【課題を解決するための手段】
【００２４】
本考案の商品陳列用具は、底板と、この底板に対し垂直に上方に伸びる側板と、側板の先端より斜め下方に伸びる前面板とにて構成され、側板と前面板との間に商品陳列用棚の先端に設けられた商品落下防止用の板又は網が挿入されるように棚板上に配置して用いるもので、側板と前面板との間に商品落下防止用の板又は網を挟むように構成した保持用突出部を設けたことを特徴とする。
【００２５】
又、本考案の商品陳列用具は、前述のような底板と側板と前面板とにて構成され、前面板より側板側に伸びる保持用突出部を有するものであって、この保持用突出部と側板との間に商品陳列棚の商品落下防止用の板又は網を挿入して挟むことにより本考案の商品陳列用具を固定するようにした。
【００２６】
更に、本考案の商品陳列用具は、前述の通りの底板と側板と前面板とよりなり更に保持用突出部を有する構成のもので、側板の外側の面（前面板とは反対側の面）に仕切板を保持する嵌合用突起を設けたものである。
【００２７】
これによって、この保持用嵌合突起に嵌合する嵌合溝を有する仕切板を嵌合させることにより取り付けるようにした。
【００２８】
更に、本考案の商品陳列用具は、前述の通りの底板と側板と前面板とよりなり、更に保持用突出部を有する構成で、底板に仕切板を保持する嵌合バネを設けたものである。
【００２９】
それにより、この嵌合バネに嵌合する嵌合溝を有する仕切板を、嵌合バネと嵌合溝とにて保持、固定し得るようにしたものである。
【考案の効果】
【００３０】
本考案は、側板と前面板との間に空間を設けることにより、商品陳列棚に設置する際に商品落下防止用の板又は網が邪魔することなく、しかもこの板又は網を保持用突出部にて保持して、ずれ等を生ずることなしに設置し得るという効果を有する。
【考案を実施するための最良の形態】
【００３１】
次に本考案の商品陳列用具の実施の形態を、図示する各実施例をもとに説明する。
【実施例１】
【００３２】
本考案の実施例１は、図１、図２に示す通りである。これら図のうち、図１はその一部を示す斜視図、図２は側面図である。
【００３３】
この実施例１の商品陳列用具は、商品陳列棚の先端部において用いるもので、図示するように、陳列棚の横方向に長く伸びた長方形状つまり図１における矢印Ａ方向に伸びた長方形状の底板１とこの底板１の先端側（陳列棚の先端側）より上方に垂直に伸びる側板２と、側板２の上側端部より斜め前方に更に下方に曲面状に伸びる前面板３とを一体に形成した構造である。
【００３４】
更に、本考案の実施例１の商品陳列用具は、前面板３より側板２の方向に突出させ、側板２、前面板３に沿って伸びる（図１の矢印Ａ方向に伸びる）商品陳列棚に取り付け固定するための保持用突出部４を設けたことを特徴とする。
【００３５】
これにより、商品陳列棚の先端部の商品落下防止用の板又は網がこの保持用突起４と側板２との間に挿入されるように陳列棚に設置することにより、この商品陳列用具がずれたり落下することのないように固定する。
【００３６】
又、この実施例１の商品陳列用具は、側板２の前面板３の側とは反対側（保持用突出部４とは反対側）に図１の矢印Ａ方向に伸びる仕切板取り付け用の嵌合突起５が形成されている。この嵌合突起５を利用して、仕切板が取り付けられる。つまり図３に示すような仕切板１１を嵌合させ配置する。
【００３７】
この図３に示す仕切板１１は、複数の板１２、１３、・・・よりなり、そのうちの第１の板１２の１端に本考案の実施例１の商品陳列用具（図１の商品陳列用具）の側板に設けられた仕切板保持用嵌合突起５に嵌合される嵌合溝１２ａが形状されている。
【００３８】
この仕切板１２の嵌合溝１２ａを利用して、仕切板１１を前記実施例１の商品陳列用具の側板２に設けられた嵌合突起５に嵌合させて、底板１と側板２に対して直角に配置する。これにより、商品陳列棚の商品を載せる棚板上をこの仕切板１１にて仕切る。
【００３９】
ここで、嵌合溝１２ａを側板２の嵌合突起５に沿って移動させることにより、必要に応じて適宜位置にて仕切ることができる。
【００４０】
又、仕切板１１は複数の板１２、１３、・・・よりなり、各板は、いずれも図３の接合部２０にて切り離し可能な構成である。したがって、この接合部２０にて切り離すことにより、適宜長さにして使用することが可能である。
【００４１】
尚、図３の仕切板には嵌合溝１２ａのほか嵌合溝１２ｂが設けられている。    以上述べたように、実施例１の商品陳列用具は、商品陳列棚の先端部分に設置して用いるもので、その際に商品陳列棚の先端に設けられた商品落下防止用の板又は網を側板２と保持用突出部４との間に挟むようにして設置する。
【００４２】
ここで、本考案の商品陳列棚は、例えばスチロール、ポリプロピレン等の合成樹脂材料にて形成され、したがって、保持用突出部４は、バネ性を持たせることが可能である。このように、保持用突出部４にバネ性を持たせることにより、本考案の商品陳列用具がずれる等することなく確実に固定し得る。
【００４３】
又、この実施例１は、側板２の外側に嵌合突起を設けてあり、これにより前述のように仕切板を配置することが可能である。したがって、商品陳列用具に対して直角方向に伸びる仕切板にて適宜に区切り、各区切り内のスペースに例えば異なる商品を載せて販売する等の利用が可能である。
【００４４】
又、前面板３には、商品に関する情報を記載したものを貼り付けて使用すればよい。
【００４５】
又、この前面板の裏面にはカード差しを支持するための突起７が形成されている。図６はカード差し８の一例である。このカード差し８を前面板の先の部分（下端部分）にカード差しの８ａと８ｂの間に前面板を挿入し前面板の突起７とカード差し８の８ｃとにて支持する。そして、商品に関する各種情報等を印刷したカードを挿入する。
【実施例２】
【００４６】
次に、本考案の商品陳列用具の実施例２について述べる。
【００４７】
本考案の実施例２は、図４に示す通りの構成である。この図４は側面図で、したがって、図２に示す実施例１と同様に図４の紙面に垂直方向に長く伸びる形状である。
【００４８】
この実施例２は、実施例１と同様に、底板１と側板２と前面板３とよりなり、又前面板３にはそれより内側（側板２の側）に伸びる保持用の突出部４が形成されている。つまり、この実施例２も本考案の基本構成を備えた実施例であって、したがって、商品陳列棚がその先端に商品落下防止用の板又は網を有するものに使用するのに適した構成である。つまり、前記の商品落下防止用の板又は網を挿入する際に邪魔になる部分がなく、逆の商品落下防止用の板又は網を側板２と保持用の突出部４との間に挿入し、側板２と突出部４とにより挟んで固定するようにしたものである。
【００４９】
この実施例２は、このような本考案の基本構成に前記文献に記載された商品陳列用具の一部実施例にも用いられた仕切板固定バネ６を設けたものである。
【００５０】
又、この実施例２に用いられる仕切板は、図５に示す構成である。この仕切板２１は、図２の仕切板１１と同様に複数の板２２、２３、・・・よりなり、第１の仕切板２２の先端下方に図４に示す実施例２の商品陳列用具の固定バネ６は嵌合する嵌合溝２２ａを設けたものである。この嵌合溝２２ａを固定バネ６に嵌合することにより、仕切板２１を実施例２の底板１に取り付け固定した商品陳列棚を仕切るようにしている。
【００５１】
尚、図３に示す仕切板にも嵌合溝２２ａに相当する嵌合溝１２ｂが設けられている。したがってこの実施例２の商品陳列用具に図３に示す仕切板を使用することも可能である。
【００５２】
この図５に示す仕切板２１も各板２２、２３、・・・の接合部分３０にて分離することにより、仕切板２１の全体の長さを変更することが可能である。
【００５３】
この実施例２も、側板２と前面板３との間に空間を設けることにより、先端に落下防止用の板や網を設けた商品陳列棚での使用が可能になり、又側板２と保持用の突出部４とにより、落下防止用の板や網を挟むことにより、本考案の商品陳列用具をずれや落下等の恐れなく、確実に固定、保持できる。
【００５４】
更にこの実施例２は、底板１に設けられた仕切板を嵌合、固定するバネ部材６を有することにより、前述のように、仕切板２１を位置調整可能に保持し得る。
【００５５】
このように、仕切板２１を保持するバネ部材を底板１に設けたことにより、側板２と前面板３との間には、邪魔になる突起物等が存在せず、前記のような落下防止用の板、網を有する商品陳列用棚にも使用可能である。
【００５６】
前述の実施例１の本考案の商品陳列用具に実施例２にて用いられているバネ部材を用いることも可能である。
【００５７】
この実施例２の商品陳列用具も、仕切板の取り付け構造が実施例１と異なるが、底板１、側板２、前面板３、保持用突出部４等の基本構成は、実施例１と同じである。
したがって、この実施例２の使用方法等は、実施例１と実質上同じである。
【産業上の利用可能性】
【００５８】
本考案の商品陳列用具は、商品陳列棚において使用するもので、前面に商品の落下を防止する等のため設けられた板又は網を有する陳列棚にても使用可能な構成である。更に、前面板と側板との間に伸びる保持用突出部を設けたことにより、この突出部と側板とにより前記の板又は網を挟むようにして、商品陳列棚の上に固定することが可能になる。
【図面の簡単な説明】
【００５９】
【図１】本考案の商品陳列用具の実施例１の斜視図
【図２】上記実施例１の側面図
【図３】上記実施例１にて用いられる仕切板を示す図
【図４】本考案の商品陳列用具の実施例２の側面図
【図５】上記実施例２にて用いられる仕切板を示す図
【図６】本考案で用いるカード差しの一例を示す図
【図７】従来の商品陳列用具を示す図
【図８】上記従来の商品陳列用具で仕切板等を取り付けた状態を示す側面図
【符号の説明】
【００６０】
１    底板
２    側板
３    前面板
４    保持用突出部
５    嵌合突起
６    仕切板固定ばね
７    突起
８    カード差し
１１，２１  仕切板
１２ａ，１２ｂ，１２ｃ    嵌合溝
【図１】
0003117531.tif 000003
【図２】
0003117531.tif 000004
【図３】
0003117531.tif 000005
【図４】
0003117531.tif 000006
【図５】
0003117531.tif 000007
【図６】
0003117531.tif 000008
【図７】
0003117531.tif 000009
【図８】
0003117531.tif 000010